(57)【要約】【課題】  同一の電話番号を共有する二つの通信端末の間で情報を送受信するための情報送受信システムを提供すること。【解決手段】  この情報送受信システム１ａは、携帯電話機４０から送信される、車載端末４１に対して所定の動作を行うように要求する動作要求情報を受信する要求受信部５０１と、当該受信した動作要求情報に基づいて車載端末４１に対して所定の動作を行わせるための動作指示情報を生成する指示情報生成部５０２と、当該生成した動作指示情報を、携帯電話機４０が通信に使用している第１のベアラとは異なる第２のベアラで車載端末４１に対して送信する動作指示送信部５０３と、当該動作指示情報の送信に応じて車載端末４１から送信される動作結果情報を受信する動作結果受信部５０４と、当該受信した動作結果情報を、第１のベアラで携帯電話機４０に送信する結果送信部５０５と、を備える。【選択図】  図５
2005244817.tif 000002
【特許請求の範囲】
【請求項１】
同一の電話番号を共有する第１の通信端末と第２の通信端末との間で情報を送受信するための情報送受信システムであって、
前記第１の通信端末から送信される、前記第２の通信端末に対して所定の動作を行うように要求する動作要求情報を受信する要求受信手段と、
当該受信した動作要求情報に基づいて前記第２の通信端末に対して前記所定の動作を行わせるための動作指示情報を生成する指示情報生成手段と、
当該生成した動作指示情報を、前記第１の通信端末が通信に使用している第１のベアラとは異なる第２のベアラで前記第２の通信端末に対して送信する動作指示送信手段と、
当該動作指示情報の送信に応じて前記第２の通信端末から送信される、前記第２の通信端末が前記所定の動作を行った結果を示す動作結果情報を受信する動作結果受信手段と、
当該受信した動作結果情報を、前記第１のベアラで前記第１の通信端末に送信する結果送信手段と、
を備える情報送受信システム。
【請求項２】
同一の電話番号を共有する第１の通信端末と第２の通信端末との間で情報を送受信するための情報送受信システムであって、
前記第２の通信端末から送信される、前記第１の通信端末に対して所定の情報を送信することを要求する送信要求情報を受信する要求受信手段と、
当該受信した送信要求情報に基づいて、前記第１の通信端末の通信状況を取得する状態取得手段と、
当該取得した通信状況を前記第２の通信端末に送信する状態送信手段と、
を備える情報送受信システム。
【請求項３】
前記状態送信手段が送信する前記第１の通信端末の通信状況に基づいて前記所定の情報を送信するためのベアラを決定するベアラ決定手段と、
当該決定したベアラで前記所定の情報を送信する情報送信手段と、を備える請求項２に記載の情報送受信システム。
【請求項４】
前記ベアラ決定手段は、前記通信状況が前記第１の通信端末が第１のベアラで通信を行っていることを示している場合には該第１のベアラとは異なる第２のベアラを前記所定の情報を送信するためのベアラに決定する、請求項３に記載の情報送受信システム。
【発明の詳細な説明】
【技術分野】
【０００１】
この発明は、同一の電話番号を共有する第１の通信端末と第２の通信端末との間で情報を送受信するための情報送受信システムに関する。
【背景技術】
【０００２】
用途や使用場面に応じて複数の通信端末を利用したいとのニーズがある。ここで、一人のユーザが複数の通信端末を利用しようとすると、それぞれの通信端末ごとに回線の契約が必要となる。
【０００３】
ここで、複数の通信端末ごとに回線の契約が必要となると、通信端末ごとに異なる電話番号が割り当てられることになる。ユーザにとって異なる回線番号を管理し使用することは経済上においても利便性においても負担が大きい。そこで、一の回線番号を複数の通信端末で共有する技術がある（例えば、下記特許文献１参照）。
【特許文献１】特開平１１−２７３９１号公報
【発明の開示】
【発明が解決しようとする課題】
【０００４】
上記特許文献１に記載の技術では、発信者側が付加番号で着信先の通信端末を指定する必要があり、ユーザの利便性の観点から見れば異なる回線番号を使用することと変わりがない。すなわち、実質的な複数通信端末の回線共有は未だ達成できていない。
【０００５】
そこで本発明では、同一の電話番号を共有する第１の通信端末と第２の通信端末との間で情報を送受信するための情報送受信システムを提供することを課題とする。
【課題を解決するための手段】
【０００６】
本発明の情報送受信システムは、同一の電話番号を共有する第１の通信端末と第２の通信端末との間で情報を送受信するための情報送受信システムであって、（１）第１の通信端末から送信される、第２の通信端末に対して所定の動作を行うように要求する動作要求情報を受信する要求受信手段と、（２）当該受信した動作要求情報に基づいて第２の通信端末に対して所定の動作を行わせるための動作指示情報を生成する指示情報生成手段と、（３）当該生成した動作指示情報を、第１の通信端末が通信に使用している第１のベアラとは異なる第２のベアラで第２の通信端末に対して送信する動作指示送信手段と、（４）当該動作指示情報の送信に応じて第２の通信端末から送信される、第２の通信端末が所定の動作を行った結果を示す動作結果情報を受信する動作結果受信手段と、（５）当該受信した動作結果情報を、第１のベアラで第１の通信端末に送信する結果送信手段と、を備える。
【０００７】
本発明の情報送受信システムによれば、第１の通信端末が通信中の第１のベアラとは異なる第２のベアラで第２の通信端末に動作指示情報を送信するので、第１の通信端末との通信を中断せずに第２の通信端末と通信を行うことができる。従って第１の通信端末と第２の通信端末とが同一の電話番号を共有していても、相互に情報の送受信が可能となる。
【０００８】
本発明の情報送受信システムは、同一の電話番号を共有する第１の通信端末と第２の通信端末との間で情報を送受信するための情報送受信システムであって、（６）第２の通信端末から送信される、第１の通信端末に対して所定の情報を送信することを要求する送信要求情報を受信する要求受信手段と、（７）当該受信した送信要求情報に基づいて、第１の通信端末の通信状況を取得する状態取得手段と、（８）当該取得した通信状況を第２の通信端末に送信する状態送信手段と、を備える。
【０００９】
本発明の情報送受信システムによれば、第２の通信端末から所定の情報を第１の通信端末に送信する際に、第１の通信端末の通信状況を取得して第２の通信端末に送信するので、例えば第１の通信端末がどのベアラで通信中なのかを第２の通信端末に知らせることができる。
【００１０】
また本発明の情報送受信システムでは、状態送信手段が送信する第１の通信端末の通信状況に基づいて所定の情報を送信するためのベアラを決定するベアラ決定手段と、当該決定したベアラで所定の情報を送信する情報送信手段と、を備えることも好ましい。第１の通信端末の通信状況に応じてベアラを決定し、その決定したベアラで所定の情報を送信するので、第１の通信端末が通信中であっても第２の通信端末から所定の情報を送信できる。
【００１１】
また本発明の情報送受信システムでは、ベアラ決定手段は、通信状況が第１の通信端末が第１のベアラで通信を行っていることを示している場合には該第１のベアラとは異なる第２のベアラを所定の情報を送信するためのベアラに決定することも好ましい。第１の通信端末が通信中の場合に、その通信中の第１のベアラとは異なる第２のベアラで第２の通信端末が所定の情報を送信するようにできる。
【発明の効果】
【００１２】
本発明によれば、同一の電話番号を共有する第１の通信端末と第２の通信端末との間で情報を送受信するための情報送受信システムを提供することができる。
【発明を実施するための最良の形態】
【００１３】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１４】
本発明の実施形態である情報送受信システム１ａについて図１を参照しながら説明する。図１に示す情報送受信システム１ａは、発着信制御装置１０、情報送受信装置５０、関門交換機２０、交換機３０〜３１、地域レジスタ３５１〜３５２、携帯電話機４０（第１の通信端末）、及び車載端末４１（第２の通信端末）を備える。交換機３０〜３１は関門交換機２０を介して他の交換機又はネットワークと通信可能なように構成されている。交換機３０には地域レジスタ３５１が、交換機３１には地域レジスタ３５２が、それぞれ対応している。この実施形態では、交換機３０の配下のエリア３０ａに携帯電話機４０が、交換機３１の配下のエリア３１ａに車載端末４１が、それぞれ在圏しているものとする。尚、交換機３０〜３１の配下の基地局等はその記載を省略している。本実施形態では、携帯電話機４０及び車載端末４１が同一の電話番号を共有しているものとする。
【００１５】
引き続いて、発着信制御装置１０について説明する。発着信制御装置１０は、関門交換機３０、交換機３０〜３１、及び地域レジスタ３５１〜３５２のそれぞれと情報通信が可能であり、関門交換機２０及び交換機３０〜３１の発着信要求に応じて所定の情報を応答し、地域レジスタ３５１〜３５２と必要な情報の授受を行うコンピュータシステムである。また、発着信制御装置１０は情報送受信装置５０と情報の送受信が可能なように構成されている。
【００１６】
発着信制御装置１０は機能的な構成要素として、発信要求受信部１０１と、着信要求受信部１０２と、端末状態取得部１０３（状態取得手段）と、端末状態判定部１０４と、発信応答部１０５と、着信端末特定部１０６と、着信応答部１０７と、送信要求送受信部１０８（送信要求受信手段、状態送信手段）と、ホームレジスタ１５１と、を備える。引き続いて各構成要素について説明する。
【００１７】
発信要求受信部１０１は、携帯電話機４０（車載端末４１）からの発信の要求に応じて送信される発信要求情報を受信する部分である。より具体的には、携帯電話機４０（車載端末４１）が発信操作を行うと、在圏しているエリア３０ａ（エリア３１ａ）に存在する基地局を介して交換機３０（交換機３１）に発信先の通信端末を特定する情報（電話番号等）を含む発信の要求を行う。交換機３０（交換機３１）は、この発信の要求に応じて発着信制御装置１０に発信要求情報を送信する。発信要求受信部１０１はこの発信要求情報を受信し、端末状態取得部１０３に出力する。
【００１８】
着信要求受信部１０２は、特定の電話番号に対する着信要求情報を受信する部分である。例えば、図示しない通信端末から携帯電話機４０及び車載端末４１が共有する電話番号への発信が行われた場合には、その情報は関門交換機２０に送信される。関門交換機２０は着信先の電話番号に関する情報の読み出し要求を着信要求として発着信制御装置１０に送信する。着信要求受信部１０２はこの着信要求情報を受信し、端末状態取得部１０３に出力する。
【００１９】
端末状態取得部１０３は、発信要求受信部１０１から情報が出力された場合には、発信系の動作を行い、通信端末の状態を取得して端末状態判定部１０４に出力する部分である。より具体的に端末状態取得部１０３を説明するために、携帯電話機４０から発信を行う場合を例にとって説明する。携帯電話機４０が発信を行う場合には、交換機３０から発着信制御装置１０に対して携帯電話機４０の電話番号とチップ番号とが送信される。この電話番号は、携帯電話機４０及び車載端末４１で共有している番号である。チップ番号は、電話番号に関連付けられている番号であって、携帯電話機４０及び車載端末４１で異なる番号を使用している。このチップ番号は、携帯電話機４０及び車載端末４１にそれぞれ挿入されるカード（ＵＩＭカードといったＩＣカード）に記録されていてもよい。この場合にはカードを差し替えると、後述するチップ番号やユーザＩＤが入れ替わることになる。
【００２０】
端末状態取得部１０３は発信要求受信部１０１から出力される電話番号及びチップ番号に基づいてホームレジスタ１５１に格納されている情報を検索する。ホームレジスタ１５１に格納されている情報の例について図２を参照しながら説明する。図２に示す例に拠れば、ホームレジスタ１５１には、「回線番号」「契約」「サービス設定」「チップ番号」「ランク」「ユーザＩＤ」「地域レジスタ」「着信設定」が関連付けられて格納されている。「契約」とは、一の回線番号を複数の携帯電話機や通信端末で共有する契約の有無を示す情報である。「サービス設定」とは、契約後にサービスの開始が設定されているかを示す情報である。「チップ番号」とは、対応する携帯電話機や通信端末が発信する際に回線番号に付加される情報である。「ランク」とは、対応する携帯電話機や通信端末の通信条件のランクを示す情報である（詳細は後述する）。「ユーザＩＤ」とは、対応する携帯電話機や通信端末に固有のＩＤである。「地域レジスタ」とは、対応する携帯電話機や通信端末が存在する交換機に対応する地域レジスタを特定するための情報である。「着信設定」とは、着信時に対応する携帯電話機や通信端末を示す情報である。
【００２１】
上述した「ランク」について図３を参照しながら説明する。尚、図３に例示する情報はホームレジスタ１５１に別途格納されていてもよい。図３に示す例に拠れば、「ランク」が「基本」なのか「付加」なのかでは対応可能なベアラが異なる。図３中の「クロス印」は対応するベアラによる通信ができないことを示し、「白抜き丸印」は対応するベアラによる通信が可能なことを示し、「黒塗りつぶし丸印」は予め設定されている機器がそのベアラで通信が可能なことを示している。すなわち、図２の「着信設定」で設定されているベアラによってその機器での通信が可能なことを示している。「音声通話」は回線交換での音声通話を、「非制限デジタル」は回線交換でのデータ通信を、「パケット１」は一般的なパケット通信を、「パケット２」は閉じられたネットワーク内でのパケット通信を、「テレビ電話」は回線交換での音声及び映像通信を、「ＳＭＳ」はショートメッセージサービスを、それぞれ示している。
【００２２】
図１に戻って、端末状態取得部１０３は発信要求受信部１０１から出力される電話番号及びチップ番号に基づいてホームレジスタ１５１に格納されている情報を検索し、その回線番号に対応する携帯電話機や通信機器であって、発信要求受信部１０１から出力されるチップ番号（すなわち発信元のチップ番号）以外のチップ番号に対応するユーザＩＤを特定する。端末状態取得部１０３はその特定したユーザＩＤを利用して、対応する地域レジスタに対してそのユーザＩＤに対応する通信状況を要求する。
【００２３】
ここで、地域レジスタ３５１〜３５２に格納されている情報の例を図４（Ａ）〜図４（Ｂ）に示す。図４（Ａ）は、地域レジスタ３５１に格納されている情報の例を示し、図４（Ｂ）は、地域レジスタ３５２に格納されている情報の例を示す。図４（Ａ）〜図４（Ｂ）に示す例に拠れば、地域レジスタ３５１〜３５２には、それぞれ「回線番号」「契約」「チップ番号」「一時的ＩＤ」「ローミング番号」「現状」が関連付けられて格納されている。「回線番号」及び「チップ番号」は地域レジスタ３５１〜３５２が対応する交換機がカバーするエリアに在圏する携帯電話機や通信端末を特定するための情報である。「一時的ＩＤ」はエリア内で携帯電話機や通信端末を識別するための番号である。「ローミング番号」は着信時に使用される使い捨ての番号である。「現状」は対応する携帯電話機や通信端末が通信状態にあるのか、通信状態にあればどのベアラで通信を行っているのかを特定するための情報である。
【００２４】
図１に戻って、端末状態取得部１０３が特定したユーザＩＤを利用して、対応する地域レジスタに対してそのユーザＩＤに対応する通信状況を要求すると、地域レジスタは対応する「現状」を読み出して通信状況として応答する。端末状態取得部１０３はこの応答を受け取って端末状態判定部１０４に出力する。
【００２５】
端末状態取得部１０３は、着信要求受信部１０２から情報が出力された場合には、着信系の動作を行い、通信端末の状態を取得して端末状態判定部１０４に出力する部分でもある。より具体的に端末状態取得部１０３を説明するために、携帯電話機４０及び車載端末４１が共有する電話番号に着信した場合を例にとって説明する。
【００２６】
端末状態取得部１０３は発信要求受信部１０１から出力される回線番号に基づいてホームレジスタ１５１に格納されている情報を検索する。ホームレジスタ１５１に格納されている情報の例は図２を参照しながら既に説明したとおりである。すなわち、端末状態取得部１０３は、電話番号に対応するユーザＩＤ及び地域レジスタを特定する。そして、端末状態取得部１０３はそれぞれの地域レジスタに対して該当するユーザＩＤの通信状況を応答するように要求する。地域レジスタは格納されている「現状」を読み出して通信状況として応答する。端末状態取得部１０３はこの応答を受け取って端末状態判定部１０４に出力する。
【００２７】
端末状態判定部１０４は、発信要求の場合には、端末状態取得部１０３が取得した通信状況に基づいて、発信を要求した携帯電話機や通信端末が発信可能か否かを判断する部分である。例えば、携帯電話機４０が発信の要求をした場合に、携帯電話機４０と回線番号を共有する車載端末４１が同じベアラで通信を行っていなければ、携帯電話機４０は発信可能であると判断する。端末状態判定部１０４は、この判定結果を発信応答部１０５に出力する。
【００２８】
端末状態判定部１０４は、着信要求の場合には、端末状態取得部１０３が取得した通信状況に基づいて、着信可能な携帯電話機や通信端末を特定する部分でもある。例えば、携帯電話機４０及び端末４１が共有する回線番号に対する着信要求があった場合には、着信要求に対応するベアラを扱うことが可能であって通信中でない通信端末を判定する。また、特定のベアラに対して着信先として設定されている場合には、その設定されている通信端末を判定する。端末状態判定部１０４は、この判定結果を着信端末特定部１０６に出力する。
【００２９】
発信応答部１０５は、端末状態判定部１０４の判断結果が発信可能である場合に、発信を要求している携帯電話機や通信端末の発信を許可する情報を交換機３０〜３１出力する部分である。
【００３０】
着信端末特定部１０６は、端末状態判定部１０４の判断結果が着信可能である場合に、着信可能と判定された携帯電話機や通信端末を特定し、その特定した携帯電話機や通信端末に着信するための着信情報を取得する部分である。より具体的には、着信端末特定部１０６は着信可能と判定された携帯電話機や通信端末のローミング番号を着信情報として地域レジスタから取得して着信応答部１０７に出力する。
【００３１】
着信応答部１０７は、着信端末特定部１０６から出力されるローミング番号を着信情報として関門交換機２０に送信する部分である。
【００３２】
送信要求送受信部１０８は、車載端末４１から送信される、携帯電話機４０に対して所定の情報を送信することを要求する送信要求情報を受信し、端末状態取得部１０３に出力する部分である。端末状態取得部１０３はこの送信要求情報に応じて携帯電話機４０の通信状況を取得して送信要求送受信部１０８に出力する。送信要求送受信部１０８はこの通信状況を車載端末４１に送信する。ここで、所定の情報とは、例えば車載端末４１が検知した車両の状態を示す情報などを指すものである。
【００３３】
引き続いて、情報送受信装置５０について図５を参照しながら説明する。情報送受信装置５０は物理的には、ＣＰＵ、メモリ、ハードディスク、通信インタフェイス等を備えたコンピュータ又はコンピュータシステムである。情報送受信装置５０は機能的な構成要素として、要求受信部５０１（要求受信手段）と、指示情報生成部５０２（指示情報生成手段）と、動作指示送信部５０３（動作指示送信手段）と、結果受信部５０４（動作結果受信手段）と、結果送信部５０５（結果送信手段）と、情報格納部５５１と、を備える。引き続いて各構成要素について説明する。
【００３４】
要求受信部５０１は、携帯電話機４０から送信される、車載端末４１に対して所定の動作を行うように要求する動作要求情報を受信する部分である。要求受信部５０１は受信した動作要求情報を指示情報生成部５０２に出力する。
【００３５】
指示情報生成部５０２は、要求受信部５０１が受信した動作要求情報に基づいて車載端末４１に対して所定の動作を行わせるための動作指示情報を生成する部分である。指示情報生成部５０２は生成した動作指示情報を動作指示送信部５０３に出力する。
【００３６】
動作指示送信部５０３は、指示情報生成部５０２が生成した動作指示情報を車載端末４１に送信する部分である。この場合に、携帯電話機４０がパケット通信のベアラで情報を送信してくれば、動作指示送信部５０３は回線交換のベアラで情報を送信する。また、携帯電話機４０が回線交換のベアラで情報を送信してくれば、動作指示送信部５０３はパケット通信のベアラで情報を送信する。このように、動作指示送信部５０３は携帯電話機４０が通信に使用しているベアラ（第１のベアラ）とは異なるベアラ（第２のベアラ）で動作指示情報を送信する。
【００３７】
結果受信部５０４は、動作指示送信部５０３の動作指示情報の送信に応じて車載端末４１から送信される、車載端末４１が所定の動作を行った結果を示す動作結果情報を受信する部分である。結果受信部５０４は受信した動作結果情報を情報格納部５５１に格納する。
【００３８】
結果送信部５０５は、結果受信部５０４が受信した動作結果情報を携帯電話機４０へ送信する部分である。より具体的には、結果送信部５０５は携帯電話機４０からの要求に応じて情報格納部５５１に格納されている動作結果情報を読み出して、携帯電話機４０が通信に使用しているベアラで動作結果情報を携帯電話機４０に送信する。
【００３９】
引き続いて、車載端末４１について図６を参照しながら説明する。車載端末４１は物理的には、ＣＰＵ、メモリ、ハードディスク、通信手段、センサ等を備えた通信端末である。車載端末４１は機能的な構成要素として、動作指示受信部４１１と、動作部４１２と、動作結果送信部４１３と、車両状態取得部４１４と、送信要求部４１５と、ベアラ決定部４１６（ベアラ決定手段）と、情報送信部４１７（情報送信手段）と、を備える。引き続いて各構成要素について説明する。
【００４０】
動作指示受信部４１１は、情報送受信装置から送信される動作指示情報を受信する部分である。動作指示受信部４１１は受信した動作指示情報を動作部４１２に出力する。
【００４１】
動作部４１２は動作指示情報に基づいて所定の動作を行う部分である。例えば、動作指示情報が「ドアを閉める」旨のものであった場合には車両のドアを閉める。動作部４１２は動作の結果を報告するための動作結果情報を生成し、動作結果送信部４１３に送信する。
【００４２】
動作結果送信部４１３は、動作部４１２が出力する動作結果情報を情報送受信装置５０へ送信する部分である。
【００４３】
車両状態取得部４１４は、車載端末４１が搭載されている車両の状態を取得する部分である。例えば、車両が動いたことや、ドアが開けられたこと等を検知し、その検知結果に基づいて車両の状態を取得する。車両状態取得部４１４は、車両の状態が変わったと判断すると（異常が発生したと判断すると）、所定の情報としての車両の状態情報を情報送信部４１７に出力し、送信要求部４１５に対しては所定の動作を行うように指示信号を出力する。
【００４４】
送信要求部４１５は、所定の情報（車両状態取得部４１４が取得した情報）を携帯電話機４０に送信することを要求する送信要求情報を発着信制御装置１０の送信要求送受信部１０８に送信する部分である。送信要求送受信部１０８は前述のように、この送信要求情報を端末状態取得部１０３に出力し、端末状態取得部１０３が取得した携帯電話機４０の通信状況を車載端末４１に送信する。この通信状況は車載端末４１の送信要求部４１５が受信し、ベアラ決定部４１６に出力する。
【００４５】
ベアラ決定部４１６は、送信要求部４１５が受信した携帯電話機４０の通信状況に基づいて所定の情報を送信するためのベアラを決定する部分である。例えば、携帯電話機４０が通信中でなければ、ベアラ決定部４１６はパケット通信のベアラで所定の情報を送信することを決定する。また、携帯電話機４０が回線交換のベアラで通信中の場合にも、ベアラ決定部４１６はパケット通信のベアラで所定の情報を送信することを決定する。ベアラ毛手恥部４１６は決定したベアラを情報送信部４１７に出力する。
【００４６】
情報送信部４１７は、ベアラ決定部４１６が決定したベアラで所定の情報を送信する部分である。情報送信部４１７は所定の情報を情報送受信装置５０に送信する。
【００４７】
引き続いて、情報送受信システム１ａの動作について説明する。まず、携帯電話機４０から車載端末４１を操作する場合を例にとって、図７を参照しながら説明する。携帯電話機４０から発着信制御装置１０に対してデータ着信先の設定が送信される（Ｓ０１）。発着信制御装置１０はホームレジスタ１５１に格納されている情報（図２参照）を書き換えて、パケット通信のベアラのデータ着信先が車載端末４１になるように設定する。発着信制御装置１０は携帯電話機４０に設定完了の通知を送信する（Ｓ０２）。
【００４８】
ユーザは携帯電話機４０から情報送受信装置５０に対して、車載端末４１に所定の動作を行わせるための動作要求情報を送信する（Ｓ０３）。この動作要求情報を送信する際には、ウェブ上でデータを入力してもよい。また、所定の動作とは、車載端末４１に何らかの動作をさせることや、車載端末４１に格納されている情報の読み出しなどを含む。情報送受信装置５０の要求受信部５０１がこの動作要求情報を受信し、指示情報生成部５０２に出力する。指示情報生成部５０２は動作指示情報を生成して動作指示送信部５０３に出力する。
【００４９】
情報送受信装置５０の動作指示送信部５０３は車載端末４１に対して動作指示情報を送信する（Ｓ０４）。車載端末４１の動作指示受信部４１１がこの動作指示情報を受信し、動作部４１２に出力する。車載端末４１の動作部４１２はこの動作指示情報に応じて所定の動作を行う（Ｓ０５）。車載端末４１の動作結果送信部４１３はその動作の結果を動作結果情報として情報送受信装置５０に送信する（Ｓ０６）。情報送受信装置５０の結果受信部５０４がこの動作結果情報を受信して情報格納部５５１に格納する
【００５０】
ユーザは携帯電話機４０から情報送受信装置５０に対して動作結果情報の送信を要求する（Ｓ０７）。情報送受信装置５０の結果送信部５０５は携帯電話機４０に動作結果情報を送信する（Ｓ０８）。従って、ユーザは携帯電話機４０で動作結果情報を受信して表示できる（Ｓ０９）。
【００５１】
引き続いて、車載端末４１から携帯電話機４０へ情報を送信する場合を例にとって、図８を参照しながら説明する。車載端末４１の車両状態取得部４１４が車両の異常を検知して、その異常の内容を含む所定の情報を送信要求部４１５及び情報送信部４１７に出力する（Ｓ１１）。返信要求部４１５は発着信制御装置１０に対して送信要求情報を送信する（Ｓ１２）。発着信制御装置１０の送信要求送受信部１０８がこの送信要求情報を受信し、端末状態取得部１０３に出力する。端末状態取得部１０３は携帯電話機４０の通信状況を取得する（Ｓ１３）。端末状態取得部１０３は取得した携帯電話機４０の通信状況を送信要求送受信部１０８に出力する。送信要求送受信部１０８はこの通信状況を車載端末４１に送信する（Ｓ１４）。
【００５２】
送信された通信状況は車載端末４１の送信要求部４１５が受信してベアラ決定部４１６に出力する。ベアラ決定部４１６はこの通信状況に基づいて通信するベアラを決定する（Ｓ１５）。ベアラ決定部４１６は決定したベアラを情報送信部４１７に出力する。情報送信部４１７は車両状態取得部４１４が取得した所定の情報をその決定したベアラで情報送受信装置５０に送信する（Ｓ１６）。
【００５３】
情報送受信装置５０の結果受信部５０４がこの所定の情報を受信して情報格納部５５１に格納する。情報送受信装置５０は携帯電話機４０に対して所定の情報が取得できた旨の電子メールを送信する（Ｓ１７）。携帯電話機４０から所定の情報の送信要求が送信される（Ｓ１８）。この送信要求に応じて情報格納部５５１に格納されている所定の情報を結果送信部５０５が取り出して携帯電話機４０に送信する（Ｓ１９）。従って、ユーザは携帯電話機４０で所定の情報を受信して表示できる（Ｓ２０）。
【００５４】
本実施形態によれば、携帯電話機４０が通信中の第１のベアラとは異なる第２のベアラで車載端末４１に動作指示情報を送信するので、携帯電話機４０との通信を中断せずに車載端末４１と通信を行うことができる。従って携帯電話機４０と車載端末４１とが同一の電話番号を共有していても、相互に情報の送受信が可能となる。
【図面の簡単な説明】
【００５５】
【図１】本発明の実施形態である情報送受信システムの構成を示す図である。
【図２】図１のホームレジスタに格納されている情報の例を示す図である。
【図３】図１のホームレジスタに格納されている情報の例を示す図である。
【図４】図１の地域レジスタに格納されている情報の例を示す図である。
【図５】図１の情報送受信装置の構成を示す図である。
【図６】図１の車載端末の構成を示す図である。
【図７】本発明の実施形態である情報送受信システムの動作を説明するための図である。
【図８】本発明の実施形態である情報送受信システムの動作を説明するための図である。
【符号の説明】
【００５６】
１ａ…情報送受信システム、１０…発着信制御装置、２０…関門交換機、３０〜３１…交換機、３０ａ〜３１ａ…エリア、３５１〜３５２…地域レジスタ、４０…携帯電話機、４１…車載端末、１０１…発信要求受信部、１０２…着信要求受信部、１０３…端末状態取得部、１０４…端末状態判定部、１０５…発信応答部、１０６…着信端末特定部、１０７…着信応答部、送信要求送受信部１０８、１５１…ホームレジスタ。
【図１】
2005244817.tif 000003
【図２】
2005244817.tif 000004
【図３】
2005244817.tif 000005
【図４】
2005244817.tif 000006
【図５】
2005244817.tif 000007
【図６】
2005244817.tif 000008
【図７】
2005244817.tif 000009
【図８】
2005244817.tif 000010